(57)【要約】【課題】ゴミの溜まりやドアーの閉鎖位置・姿勢に左右されない二方向ドアー用ロックを提供する。【解決手段】少なくとも２個のピンを有し、該ピンはドアー厚さを越える距離だけ離間しており、ピンはピン間に位置する軸について弧状運動をするとともに退入位置と進出位置間を長手方向運動するようになっており、ロックの使用状態にありかつピンが退入位置から進出位置に動かされたときに、上記の軸からずれた位置に置かれたドアーの縁部が少なくとも１個のピンにより係合され、ドアーが実質的に軸上方の位置に固定される。【選択図】図１
2005002784.tif 000002
【特許請求の範囲】
【請求項１】
少なくとも２個のピンを有した二方向スイングまたはスライドドアー用のロックであって、該ピンはドアーの厚さを越える距離だけ離間しており、該ピンはピン間に位置する軸について弧状運動をするとともに退入位置と進出位置間を長手方向運動するようになっており、ロックの使用状態にありかつピンが退入位置から進出位置に動かされたときに、上記の軸からずれた位置に置かれたドアーの縁部が少なくとも１個のピンにより係合され、ドアーが実質的に軸上方の位置に固定されることを特徴とする二方向ドアー用ロック。
【請求項２】
傾斜カム面との係合によりピンが長手方向に動かされることを特徴とする請求項１に記載のロック。
【請求項３】
前記の軸について回転可能な円形面板中の離間孔を貫通してピンが長手方向に動くことを特徴とする請求項２に記載のロック。
【請求項４】
面板の一方向への回転がピンの進出位置への長手方向運動に対応し、面板の反対方向への回転がピンの退入位置への長手方向運動に対応するようにカム面が構成されていることを特徴とする請求項３に記載のロック。
【請求項５】
ロックのための電動モーターがケース内に配置されており、該モーターが面板を回転させることを特徴とする請求項４に記載のロック。
【請求項６】
ソレノイドピンが設けられており、該ソレノイドピンが面板中に延在してピンが進出位置にあるときに面板を回転錠止することを特徴とする請求項４に記載のロック。
【請求項７】
ケースが筒状であって、かつドアレール中に位置するグラウトボックスまたは空所内に配置するような形状を有していることを特徴とする請求項５に記載のロック。
【請求項８】
ソレノイドピンがパワー施錠またはパワー解錠動作にセットできることを特徴とする請求項６に記載のロック。
【請求項９】
軸についての弧状運動が９０度に及ぶことを特徴とする請求項１に記載のロック。
【請求項１０】
請求項１のロックに取り付けられた二方向スイングまたはスライドドアー。
【発明の詳細な説明】
【技術分野】
【０００１】
この発明は二方向ドアー用ロックに関するものであり、特にガラスドアーを含む二方向スイングまたはスライドドアー用の床取付け改良ロックに関するものである。
【背景技術】
【０００２】
ガラスドアーは一般に上下の軸承部を具えているか、またはパッチフィッティングを用いてスライド状になっている。ドアー閉鎖機構は上下の軸承部またはスライド中に組み込まれている。手動または電動ロックを用いてそのようなドアーを施錠することが知られている。
【０００３】
これらのロックはドアーまたはガラスや木材または合金からなる囲繞フレームに取り付けられている。特にドアーの上部への取付けには電気機械的なロックが望ましい。しかし透明なガラスドアーと壁とでは電気コードの隠設に問題がある。
【発明の開示】
【発明が解決しようとする課題】
【０００４】
底部取付けではドアーの下縁部へのパッチフィッティングを使って取り付けた手動または電動ロックが知られている。これらのロックは一般にスイングボルト、ドロップボルト、ラッチなどの縦型施錠システムを含んでいる。床取付け式ロックの場合の問題のひとつはボルトまたはラッチ用の床の空所にゴミが溜まってロックの動作を妨げることである。
【０００５】
また頭上取付けと底部取付けロックいずれの場合でも、よく知られているように、ロックが係合できる前にドアレールの中心線を横切ってドアーが閉鎖位置に正確に位置される必要がある。これは機械的なストッパーを取り付けられないスイングまたは二方向ドアーの場合には問題となる。
【０００６】
閉鎖機構における製造公差、摩耗および風圧負荷の故にドアーが中心位置から±２０ｍｍほど「浮き上がる」ことがあるので水圧式閉鎖には効果上限りがある。
【課題を解決するための手段】
【０００７】
かかる従来技術の現状に鑑みてこの発明の目的はゴミの溜まりやドアーの閉鎖位置・姿勢に左右されない二方向ドアー用ロックを提供することにある。
【０００８】
このためこの発明は少なくとも２個のピンを有し、該ピンはドアー厚さを越える距離だけ離間しており、ピンはピン間に位置する軸について弧状運動をするとともに退入位置と進出位置間を長手方向運動するようになっており、ロックの使用状態にありかつピンが退入位置から進出位置に動かされたときに、上記の軸からずれた位置に置かれたドアーの縁部が少なくとも１個のピンにより係合され、ドアーが実質的に軸上方の位置に固定されることを要旨とするものである。
【発明を実施するための最良の形態】
【０００９】
上記のピンは円形面板と軸について回転可能なカバーを貫通して長手方向に動くのが望ましい。
【００１０】
面板とカバーとが回転されたときに傾斜カム面との係合によりピンが長手方向に動かされるのが望ましい。
【００１１】
ロックが筒状のケースを有しており、ドアーの閉鎖位置中心線下のドアレール内に位置するグラウトボックスまたは空所内への挿入に適した形状を該ケースが有しているのが望ましい。
【実施例】
【００１２】
図１に示す実施例のロックは二方向スイングまたはスライドガラスドアーのドアレール中心線に沿って取り付けられるものである。スイングドアー構造の場合には、ロックは蝶番または軸承部から最も離れて位置するのが望ましい。面板１とこれを囲繞するドレスリング２とが具えられており、これらはドアレールと面一になっている。
【００１３】
筒状のロックケース３が下方に延在しており、ドアレールの空所内にセットされたグラウトボックス５中の横断ピン４に載っている。面板中の孔８、９内にはピン６、７が配置されており、これらのピンはドアーの厚さを超えた距離で離間している。この実施例ではピンは特定のピッチサークル直径上に離間している。
【００１４】
図２、３に示すように、ピン６、７は面板下側のカバー１０を貫通延在して下端にはボールベアリング６Ａ、７Ａを有している。これらのボールベアリングは傾斜した四分円状のカム１３、１４の面１１、１２に係合している。これらのカムは回路盤１６（ＰＣＢ）上側で筒状のケース３内にはすかいに固定されている。
【００１５】
カムの間には電動モーター１７が中心を上方に延在しており、フランジ１８と連結ブラケット（図示せず）によりロックケース３に錨止されている。このモーターの軸は上方に延在してカバー１０中のスプラインソケットに係合している。これによりカバーと面板とピン群とが、ケース３とカム１３、１４に対して９０度上動・下動回転される。回転方向に応じてピンは傾斜カム面１１、１２に載って上動したり下動したりする。
【００１６】
図１〜３においてはピンはカムの上端上で上動または完全に突出したロック位置にあるが、図示のように面板が時計方向Ａに回転すると、ピンは同時に下動してバネ力により退入して面板と面一になる。反時計方向に回転すると、ピンは同時に上動孤に沿って突出位置に戻る。
【００１７】
図４、５において、ピン６、７はドアレールの中心線Ｃについて反対の位置に有り、退入して面板１と面一になっており、ドアー１９はいずれの方向にも自由に開くことができる。使用してないときにはドアー１９は水圧閉鎖機構などの適当な手段によりほぼピン６、７の間に位置しており、ロック係合のための中心線Ｃ上にある必要はない。
【００１８】
ロックが励動されると面板１がモーター１７により図６に示す方向に回転され、ピン６、７が同時に上動孤に沿って動いてドアー１９の側部に係合する。中心線Ｃを間にピン６、７が対称に配置されているので、ドアー１９は自動的に図６、７に示すように該線の真上に位置する。
【００１９】
ついでドアーはソレノイドピン２０により固定される。このときソレノイドピンはカバー１０中の孔に突入してカバーをロック位置から回転しないように保持する。解錠は以上と逆のプロセスによる。ソレノイドピン２０がカバー１０との係合を解くと面板１がモーター１７により反対方向に回転され、同時にピン６、７を下動孤に沿って退入させて面板１と面一にしてドアー１９を解放する。
【００２０】
図８、９に示す二方向スライドドアーにあっては、ピン６、７によりドアー２１、２２のロックはキャッチャー２３、２４または一体のドアー形状の助けを借りる。
【００２１】
ソレノイドピン２０の構造は「パワー施錠」と「パワー解錠」の両方にセットできるのが望ましい。ソレノイドはシステムＰＣＢにより制御される。
【００２２】
緊急解錠もできるのが望ましく、その場合カバー１０と面板１とは、ピン６、７が下動孤に沿ってドアーの下縁部より下に退入するまで、ドアー１９を押すことにより回転を誘発され得る。
【００２３】
ロックの設置に際しては、蝶番または軸承部から可能な限り離れて（スイングドアーの場合）および共通の閉鎖基準線において（スライドドアーの場合）ドアレール中に空所を穿孔し、グラウトボックス５を用いてケース３と横断ピン４とをその中に固定する。コードは床に敷設して穿孔に導いてロックユニットに接続するのが望ましい。ロックユニットはケース３内に配置する前にまずコードに接続しておくのが望ましい。ついで保持板を用いてユニットとケースを一体に固定するのが望ましい。
【００２４】
ドアーに対するロックの配置は重要である。ピンが持ち上げられたときに、ドアーは最大約±５ｍｍに拘束するのが望ましい。解錠に際してピンの下動孤はドアーが施錠されたときと同じ側になければならない。
【００２５】
ロックはほとんどのアクセス制御システムと共存できるのが望ましく、この場合該システムにより要求される特徴を具えることになる。施錠電圧は１２〜２４ｖｄｃであるのが望ましい。施錠する指令を受けると、電子系統はドアー１９または２１、２２が正しく近接するまで待機する。これには磁石をドアー縁部に取り付けてロックの面板、カバーまたはケース中にホール効果を起こしてやる。
【００２６】
だいたいのドアー位置を確認すると、モーター１７がカバーと面板とを回転始動しピン６、７を上げてドアーを捕捉、位置決め固定する。ドアーを開くにはアクセス制御系からの信号がソレノイドピン２０を退入させて、再びモーター１７を起動して以上のプロセスを逆に行う。
【図面の簡単な説明】
【００２７】
【図１】この発明のロックの一部切除斜視図である。
【図２】同ロックの下方斜視図である。
【図３】同ロックの上方斜視図である。
【図４】ドアーに取り付けたロックの一状態の平面図である。
【図５】ドアーに取り付けたロックの一状態の側面図である。
【図６】ドアーに取り付けたロックの他の状態の平面図である。
【図７】ドアーに取り付けたロックの他の状態の側面図である。
【図８】ドアーに取り付けたロックのさらに他の状態の平面図である。
【図９】ドアーに取り付けたロックのさらに他の状態の側面図である。
【符号の説明】
【００２８】
１：面板
２：ドレスリング
３：ロックケース
５：グラウトボックス
６、７：ピン
１０：カバー
１４：カム
１７：モーター
１９、２１、２２：ドアー
２０：ソレノイドピン
【図１】
2005002784.tif 000003
【図２】
2005002784.tif 000004
【図３】
2005002784.tif 000005
【図４】
2005002784.tif 000006
【図５】
2005002784.tif 000007
【図６】
2005002784.tif 000008
【図７】
2005002784.tif 000009
【図８】
2005002784.tif 000010
【図９】
2005002784.tif 000011